(57)【要約】【課題】単純な機構であっても開放条件を複雑化すると共に、可変入賞装置の開放作動の動きに変化を持たせることにより遊技者に飽きの来ない面白さを与えることで遊技の興趣を向上させた弾球遊技機を提供する。【解決手段】大入賞装置１８と、遊技球の入賞し難い閉鎖状態と遊技球が入賞し易い開放状態に可変可能な複数の可変入賞装置２８とを備え、前記大入賞装置内には、前記可変入賞装置を開放状態とする第１の領域２６と閉鎖状態のままとする第２の領域２７を有し、前記第１の領域には、遊技球の通過により前記可変入賞装置を開放状態とする連動機構３４を複数備え、該連動機構は、前記第１の領域中に備えられ、遊技球の通過接触により駆動する連動契機部３５と、該連動契機部の駆動を伝達して可変入賞装置を開放状態とする連動伝達部３８とで構成されている。【選択図】    図３
2006109951.tif 000002
【特許請求の範囲】
【請求項１】
遊技盤ベースに備えた複数の入賞装置と、
該複数の入賞装置の少なくとも一つと機械的に連動して遊技球の入賞し難い閉鎖状態と遊技球が入賞し易い開放状態に可変可能な可変入賞装置と、
前記入賞装置内に備えられ、前記可変入賞装置を開放状態とする第１の領域と閉鎖状態のままとする第２の領域を有する複数経路の通過領域と、
前記第１の領域に複数備えられ、遊技球の通過により前記可変入賞装置を開放状態とする連動機構とを備え、
該連動機構は、前記第１の領域中に備えられ、遊技球の通過接触により駆動する連動契機部と、
該連動契機部の駆動を前記一個乃至複数個の可変入賞装置に伝達して該可変入賞装置を開放状態とする連動伝達部とで構成されていることを特徴とする弾球遊技機。
【請求項２】
連動契機部が単一の第１の領域内における遊技球の流下方向に所定距離をおいて複数個備えられていることを特徴とする請求項１に記載の弾球遊技機。
【請求項３】
連動契機部が複数の第１の領域内における夫々の遊技球の流下方向に一個乃至複数個備えられていることを特徴とする請求項１に記載の弾球遊技機。
【請求項４】
連動契機部は、遊技球の通過領域にて遊技球が接触する接触部を備えると共に、該接触部に遊技球が接触することで回転作動可能に構成し、
連動伝達部は、前記連動契機部の回転作動に連動して回転作動する回転作動部材と、該回転作動部材からの回転作動を伝達して可変入賞装置を開放作動させる開放作動部材とで構成されており、
前記開放作動部材は、該部材と連動する回転作動部材からの回転作動にのみ連動し、可変入賞装置の閉鎖作動には連動しないワンウェイクラッチ部を備えたことを特徴とする請求項１乃至３に記載の弾球遊技機。
【請求項５】
連動伝達部は、連動契機部と可変入賞装置とにわたって架け渡された紐状部材で、遊技球の接触により駆動する連動契機部の駆動に基づいて可変入賞装置を開放作動させることを特徴とする請求項１乃至３に記載の弾球遊技機。
【請求項６】
可変入賞装置と連動する入賞装置が大入賞装置であることを特徴とする請求項１乃至５に記載の弾球遊技機。
【発明の詳細な説明】
【技術分野】
【０００１】
本発明は、弾球遊技機、特に所定の入賞装置への入賞を契機に、可変表示装置を開放作動せしめる連動機構を備えた弾球遊技機に関する。
【背景技術】
【０００２】
弾球遊技機（いわゆるパチンコ機）は、発射装置のハンドルのレバーを時計方向に回転させ、例えば内蔵する発射ソレノイドを作動させて遊技球を遊技盤の遊技領域に打ち出すことにより、該遊技領域に備えた多数の遊技釘や遊技球誘導部材（例えばステージや天通路等）などにより遊技球が転動しつつ流下し、所定の入賞口に遊技球が入賞することで所望な演出がなされ、かつ賞球を得ることにより遊技を楽しむものである。
【０００３】
遊技者の遊技台選択の一つとして大当たり確率や出球数などが挙げられるが、遊技の興趣もその一つとして挙げることが出来る。すなわち、昨今の遊技者は、単調な遊技球の転動流下では面白みに欠け、直ぐに飽きが来てしまい、また大当たりとなるまでに長時間を要した場合、単調な台では遊技者は遊技を中断して他の台に移ってしまうこともあった。
そこで、弾球遊技機の遊技性が各機種様々である昨今、遊技の興趣を向上させるため、予告・リーチアクションなどの表示態様や、遊技球の転動流下態様に変化を持たせる機能を付加している。
例えば、この種の弾球遊技機では、遊技の興趣の向上という遊技者ニーズを高める手段の一つとして、所定の特定入賞口への遊技球の入賞と機械的に連動させて他の役物を開放させる、いわゆる連動役物（チューリップ式役物）を備えた遊技機が従来から提供されている（特許文献１参照）。
【特許文献１】特開昭５３−４２９５０号公報
【発明の開示】
【発明が解決しようとする課題】
【０００４】
しかし、前記特許文献１に開示の従来技術に代表されるように、今までの遊技機では、連動役物の開閉契機を特定入賞口への入賞後に即開閉させる機構を採っていたため、開閉契機が単純であり面白みに欠けていた。
本発明は、このような問題を解決するためになされており、その目的とするところは、単純な機構であっても開放条件を複雑化すると共に、可変入賞装置の開放作動の動きに変化を持たせることにより遊技者に飽きの来ない面白さを与えることで遊技の興趣を向上させた弾球遊技機を提供することにある。
【課題を解決するための手段】
【０００５】
このような目的を達成するために、第１の発明は、遊技盤ベース１１に備えた複数の入賞装置１７，１８…と、該複数の入賞装置１７，１８…の少なくとも一つと機械的に連動して遊技球の入賞し難い閉鎖状態と遊技球が入賞し易い開放状態に可変可能な可変入賞装置２８と、前記入賞装置内に備えられ、前記可変入賞装置２８を開放状態とする第１の領域２６と閉鎖状態のままとする第２の領域２７を有する複数経路の通過領域と、前記第１の領域２６に複数備えられ、遊技球の通過により前記可変入賞装置２８を開放状態とする連動機構３４とを備え、該連動機構３４は、前記第１の領域２６中に備えられ、遊技球の通過接触により駆動する連動契機部３５と、該連動契機部３５の駆動を前記一個乃至複数個の可変入賞装置２８に伝達して該可変入賞装置２８を開放状態とする連動伝達部３８とで構成されていることを特徴とする弾球遊技機としたことである。
本発明によれば、遊技者が可変入賞装置２８を開放状態とさせるためには、遊技球が入賞装置（例えば大入賞装置１８）に入賞すると共に、第１の領域２６を通過しなければならない。遊技者にとって可変入賞装置２８の開放のための達成条件が複雑に設定されることになり、遊技者の期待が高まり、遊技の興趣が向上する。
また、可変入賞装置２８を開放状態とする複数の連動機構３４が複数備えられているため、夫々の連動機構３４によって単一の可変入賞装置２８を時間差をおいて開放作動させたり、複数個の可変入賞装置２８を同時若しくは時間差をおいて開放作動させたりすることができる。従って、可変入賞装置２８の意外な開放作動に遊技者の面白みも持続し、遊技の興趣を向上させることができる。
【０００６】
第２の発明は、第１の発明において、連動契機部３５が単一の第１の領域２６内における遊技球の流下方向に所定距離をおいて複数個備えられていることを特徴とする弾球遊技機としたことである。
本発明によれば、第１の発明の作用効果と共に次のような特有の作用効果を奏する。
第１の領域２６内に連動契機部３５を所定距離をおいて複数個備えたため、前記領域２６内を流下方向に転動流下する遊技球が所定の時間をおいて順次複数の連動契機部３５と接触する。従って、第１の領域２６内を遊技球が時間差をおいて連動契機部３５に接して可変入賞装置２８の開放作動を時間差をおいて行わせることができるため、遊技者は可変入賞装置２８の開放作動の意外な動きに驚くこととなり遊技の興趣が向上する。本発明によれば、具体的には、例えば夫々の連動契機部３５と連結している複数の連動伝達部３８が単一の可変入賞装置２８に連動し、該可変入賞装置２８の開放作動を時間差をおいて連続作動させる態様が採用可能である。また、前記複数の連動伝達部３８を、夫々複数の可変入賞装置２８に連動させ、時間差をおいて夫々の可変入賞装置２８の開放作動を行わせる態様も採用可能である。
【０００７】
第３の発明は、第１の発明において、連動契機部３５が複数の第１の領域２６内における夫々の遊技球の流下方向に一個乃至複数個備えられていることを特徴とする弾球遊技機としたことである。
本発明によれば、第１の発明の作用効果と共に次のような特有の作用効果を奏する。
第一の領域２６が複数の経路中に夫々備えられている形態であって、例えば夫々の領域２６中に一個ずつ連動契機部３５を備える態様とした場合、夫々の連動契機部３５の連結先を夫々別個の可変入賞装置２８とすることができ、夫々の可変入賞装置２８の開放作動を同時若しくは時間差をおいて行わせることが出来、遊技の興趣を向上させることが可能である。また、夫々の連動契機部３５の配置位置を遊技球の流下方向に距離をおいてずらせておき、夫々の連動契機部３５を単一の可変入賞装置２８に連動させるものとすれば、単一の可変入賞装置２８の開放作動を時間差をおいて行わせることも可能である。また、一方の第１の領域２６には一個の連動契機部３５を備えて一方の可変入賞装置２８の開放作動を連動させ、他方の第１の領域２６には複数個の連動契機部３５を所定距離をおいて備えて他方の可変入賞装置２８の開放作動を時間差をおいて連動させることも可能である。
【０００８】
第４の発明は、第１乃至第３のいずれかの発明において、連動契機部３５は、遊技球の通過領域ｃにて遊技球が接触する接触部３７を備えると共に、該接触部３７に遊技球が接触することで回転作動可能に構成し、連動伝達部３８は、前記連動契機部３５の回転作動に連動して回転作動する回転作動部材３９，４０と、該回転作動部材３９，４０の回転作動を伝達して可変入賞装置２８を開放作動させる開放作動部材４１とで構成されており、前記開放作動部材４１は、該部材４１と連動する回転作動部材４０からの回転作動にのみ連動し、可変入賞装置２８の閉鎖作動には連動しないワンウェイクラッチ部４３を備えたことを特徴とする弾球遊技機としたことである。
本発明によれば、遊技球が第１の領域２６を通過する際に、連動契機部３５の接触部３７に接触すると、遊技球の転動流下作動に伴って連動契機部３５が回転し、その回転作動が回転作動部材３９，４０に伝達されて回転作動部材３９，４０が回転作動する。そして、その回転作動は開放作動部材４１に伝達されて開放作動部材４１を回転作動せしめる。そして、該開放作動部材４１の回転作動によって可変入賞装置２８が開放作動する。また、前記連動契機部３５は、遊技球の通過接触により回転作動して第１の領域２６内で次の遊技球の通過に備えて待機している。
そして、本発明によれば、上述のようにワンウェイクラッチ部４３を備えたため、可変入賞装置２８を開放させる時には、開放作動部材４１は回転作動部材３９，４０からの回転作動が伝達されるが、開放された可変入賞装置２８に遊技球が入賞し、該可変入賞装置２８が閉鎖作動する際には、回転作動部材４０との連動が断たれるため、閉鎖作動がスムーズに行い得る。
【０００９】
第５の発明は、第１乃至第３のいずれかの発明において、連動伝達部３８は、連動契機部３５と可変入賞装置２８とにわたって架け渡された紐状部材で、遊技球の接触により駆動する連動契機部３５の駆動に基づいて可変入賞装置２８を開放作動させることを特徴とする弾球遊技機としたことである。
本発明によれば、連動伝達部３８が紐状部材であるため、製作コストが安価であるばかりか、遊技盤１０の裏側での連動伝達部３８の這い廻し制限が緩和され、入賞装置１７，１８…と可変入賞装置２８との配設位置に自由度が増すこととなる。
【００１０】
第６の発明は、第１乃至第５のいずれかの発明において、可変入賞装置２８と連動する入賞装置が大入賞装置１８であることを特徴とする弾球遊技機としたことである。
本発明によれば、可変入賞装置２８の開放を遊技の流れに組み込むことが可能となり、遊技性が向上すると共に、大当たり時に遊技者に更なる特典を付与することが可能となる。
すなわち、可変入賞装置２８の開放に至るまでには、始動入賞装置１７に遊技球が入賞し、大当たりに当選し、大入賞口１９が開放し、さらに大入賞口１９内の第１の領域２６を通過して連動機構３４を作動させるといった一連の流れを経なければならない。
このように可変入賞装置２８の開放が、上述のような一連の流れに組み込まれるので遊技性が向上する。
また、大入賞口１９内においてＶゾーンを第１の領域２６のように構成すれば、大当たりの継続にさらなる特典を付与することが出来るので、遊技者にとっての興趣が向上する。さらに、Ｖゾーンを第１の領域２６のように構成した場合、可変入賞装置２８の開放作動がＶゾーン通過の報知として遊技者に知らせることができ遊技性が向上する。
【発明の効果】
【００１１】
本発明によれば、連動役物の開放条件を複雑化すると共に、可変入賞装置と連動する複数の連動機構を作動させるものとしたため、一個乃至複数個の可変入賞装置の開放作動の動きに変化を持たせて遊技者に飽きの来ない面白さを与えることで遊技の興趣を向上させた弾球遊技機を提供することができる。
【発明を実施するための最良の形態】
【００１２】
本発明の一実施形態について、以下に説明する各実施例をもって説明する。図１乃至図５は実施例１、図６及び図７は実施例２、図８及び図９は実施例３、図１０は実施例４を示す。また、可変入賞装置と機械的に連動させる入賞装置として、実施例１では大入賞装置、実施例２及び３では一般入賞装置としているが、可変入賞装置と連動する入賞装置はこれに限定はされず、可変入賞装置であってもよい。
なお、本実施形態は本発明の一例にすぎずなんらこれに限定解釈されるものではなく、本発明の範囲内で設計変更可能である。
【実施例１】
【００１３】
図１は、本発明を適用した弾球遊技機（パチンコ機ともいう）の一例であり、弾球遊技機は、遊技盤ベース１１に種々の遊技部材を備えて構成した遊技盤１０と、該遊技盤１０の裏側には遊技に関する表示を行うための表示装置８とを備えて構成されている。
【００１４】
弾球遊技機は、外枠１の前面に内枠（ベースドア）２が回動自在に軸支され、該内枠２の背後には表示装置８が嵌装されていると共に、該内枠２の前面には遊技盤１０が着脱自在に装着されている。そして該内枠２の前面には、ガラス板４を嵌めたフロント扉３が回動自在に軸支されている。
前記内枠２の前面下部には、貸球及び賞球を受け止める上皿５、上皿５満杯時に球出口の内方で溢れた球を受け止める下皿６、そして発射装置のハンドル７を備える。
そして前記ハンドル７のレバー７ａを時計方向に回転させることにより、例えば内蔵する発射ソレノイドを作動させて遊技球を表側の遊技領域Ａに打ち出すことができる。
【００１５】
表示装置８は、例えば、正面から見て、横方向の三列にわたって数字、記号等の識別情報からなる特別図柄（左特別図柄・中特別図柄・右特別図柄）を変動表示させたり、特別図柄の変動表示に併せて所定のキャラクタ画像や背景画像による演出表示等を行ったりする液晶表示装置（ＬＣＤ：Liquid Crystal Display）や、投影機からの動画又は静止画を、反射板で屈折して表示させる投影型画像表示装置も対象で、特に限定されず本発明の範囲内で種々の表示装置が適用される。
前記表示装置８の大きさなど特に限定はされないが、本実施例では、遊技領域Ａ中の中央位置、すなわち、天通路１３と表側のステージ１４で形成された領域を表示領域Ｂとする大きさが選択されている。
なお、例えば、表示装置として２０インチの大型ＬＣＤを用い、後述するように全体が透明性部材からなる遊技盤ベース１１を介して表側の遊技領域Ａに広く液晶表示による演出表示を付与し、遊技性・装飾性などを向上させることも可能である。
【００１６】
遊技盤１０は、図３及び図４に示すように、遊技盤ベース１１と、該遊技盤ベース１１に備えられる各種遊技部材とで構成されている。
【００１７】
遊技盤ベース１１は、例えば本実施例では、その遊技盤ベース１１の一部、すなわち表示装置が臨む表示領域Ｂのみを透明性部材で構成し、他の部分すべてが非透明性部材で構成されている。
また、表示装置の臨む箇所をくり貫いて、その貫通窓に表示装置の表示面を嵌め込む形式を採用することも可能で本発明の範囲内である。
なお、後述するように遊技部材としてワープ通路（裏側通路）を備え、遊技球を遊技盤の裏側を転動案内させる構成を採用する場合には、遊技盤ベース１１の全体を透明性部材で形成して裏側が視認可能とすることも可能で、本発明は特にこのような構成を除外する趣旨ではない。
【００１８】
遊技盤ベース１１を形成する透明性部材は、例えば、透明性の高い硬質の合成樹脂材が一例として挙げられ、さらに具体的には、無色透明のアクリル樹脂材、ポリカーボネート樹脂、ポリアリレート樹脂などが任意に選択される。また、樹脂以外の材質、例えばガラスなどを採用することも本発明の範囲内であり設計変更可能である。
透明性部材は無色透明とするが、有色透明性部材を採用することも可能である。また仕様によっては無色透明性部材と有色透明性部材とで構成したり、色彩・模様を施すことも可能であり、表示装置８による演出に悪影響を及ぼさない範囲内で設計変更可能である。この場合、模様は無色透明の線図が好ましいが、遊技盤ベース１１の裏面側に配設される表示装置８の構成によっては有色模様を施すことも可能である。
また、遊技盤ベース１１は、透光性部材で形成した領域を少なくとも一部に有するもので、該透光性部材で形成した領域を介して裏側に配設される表示装置が臨む構成とするものでもよい。
なお、特に表示装置８を備えない実施の形態にあっては、遊技盤ベース１１全体を非透光性部材からなるものとしてもよい。
【００１９】
遊技部材は、弾球遊技機において遊技に必要な全ての部材を言い、例えば、図２に示すように、表側の遊技領域Ａを区画すると共に、該表側の遊技領域Ａに発射ソレノイドから打ち出される遊技球を導くガイドレール１２、表側の遊技領域Ａを転動する遊技球が当たり、遊技球の流下方向を転動案内する湾曲板状の遊技球誘導板（天通路ともいう）１３や表側のステージ１４、各入賞装置１７，１８，２８、遊技領域Ａでの入賞を逃したアウト球を排出するアウト口１５、遊技盤ベース１１に打たれている図示しない多数の遊技釘などが一例として挙げられる。また、遊技部材は本実施例で例示する構成に限定されず、例えば図示はしないが、遊技球を通過可能に構成し、該遊技球の通過を検知してその検知信号を制御部へと送る通過ゲートや、表側の遊技領域Ａを転動流下する遊技球を、裏側の遊技領域へと転動案内し、裏側の遊技領域を転動流下して再び表側の遊技領域Ａへと排出するワープ通路（裏側通路）を備える構成も採用可能である。
【００２０】
入賞装置は、本実施例では、前記表示装置の変動表示を起動すると共に、大当たりとするか否かの抽選処理を起動するチューリップ式の普通電動役物からなる始動入賞装置１７、大当たり時に開放するアタッカと称する特別電動役物の大入賞装置１８、一般入賞装置としての可変入賞装置２８が備えられている。
【００２１】
可変入賞装置２８は、図４及び図５に示すように、左右の可動片３１，３１が機械的に開閉して遊技球の入賞し難い閉鎖状態と遊技球が入賞し易い開放状態に可変可能なチューリップ式の可変入賞装置で、本実施例では、この可変入賞装置２８を複数個備え、夫々の可変入賞装置２８，２８が、複数個の連動機構３４（３４ａ，３４ｂ）を介して大入賞装置１８と機械的に連動して可変可能に構成されている。
具体的には、図２及び図３に示すように、図面上向かって右側の可変入賞装置２８が、第１の連動機構３４ａを介して大入賞装置１８と連動し、左側の可変入賞装置２８が、第２の連動機構３４ｂを介して大入賞装置１８と連動している。
【００２２】
可変入賞装置２８は、遊技盤ベース１１に貫通して設けた入賞口３０の前方にて遊技盤ベース１１表面に固着されるカバー部材２９と、該カバー部材２９と遊技盤ベース１１との間にて、入賞口３０を挟んで回動可能に軸支される左右の可動片３１，３１と、該左右の可動片３１，３１の夫々の下端部位から後方に突設した突軸３２，３２の先端に一体的に備えられるかさ歯車３３，３３とで構成されている。
そして、前記夫々の可動片３１，３１と一体的に備えられたかさ歯車３３，３３は、後述する連動機構３４の開放作動部材４１の第２かさ歯車４１ｃ・第３かさ歯車４１ｄと噛み合い連結して、該開放作動部材４１の回転作動が伝達されることで回転作動して可動片３１，３１が開放作動する。
【００２３】
大入賞装置１８は、図２及び図３に示すように、遊技盤ベース１１の左右方向に長尺矩形状の大入賞口１９が貫通して設けられると共に、該大入賞口１９には開閉自在なシャッタ２０が設けられており、前記大当たり当選時に前記シャッタ２０が遊技球を受け入れ易い開放状態となる。
【００２４】
前記大入賞口１９内には、図示しない主制御回路（メインＣＰＵ）からの駆動信号に応じて遊技球を左右方向に振り分け転動せしめる図３に示すシーソ２１と、該シーソ２１によって振り分けられた遊技球が遊技盤ベース１１の裏側にて転動流下するＶカウントセンサ２４を備えた特定領域Ｖゾーンである第１の経路２２と、カウントセンサ２５を備えた一般領域ゾーンである第２の経路２３とが設けられている。すなわち、この大入賞口１９は、前記夫々の経路２２，２３を遊技球が合計して所定個数（例えば１０個）通過するか、若しくは所定時間（例えば３０秒）経過したことを契機にシャッタ２０が閉じて閉鎖状態となる。このように閉鎖状態となった大入賞口１９は、前回のラウンド遊技において、大入賞口１９に入球した遊技球がＶカウントセンサ２４を通過したことを条件に再度開放状態とされ、予め決定された最大ラウンド数までラウンド遊技が継続可能となる。
【００２５】
遊技球が通過する複数経路は、図３に示すように、本実施例では単一の第１の経路２２と単一の第２の経路２３の２経路備えられており、第１の経路２２には連動機構３４（３４ａ，３４ｂ）を介して前記可変入賞装置２８，２８を開放状態とする第１の領域２６，２６が所定の間隔をあけて２箇所備えられており、第２の経路２３には連動機構を全く備えず、前記可変入賞装置２８，２８を閉鎖状態のままとする第２の領域２７としている。
本実施例によれば、前記２箇所の第１の領域２６，２６に、遊技球の通過により前記可変入賞装置２８，２８を開放状態とする連動機構３４（３４ａ，３４ｂ）の連動契機部３５，３５を、遊技球の転動流下方向に夫々所定の間隔を空けて備えている。
【００２６】
連動機構３４，３４は、図３に示すように、遊技盤ベース１１の裏面にて、前記第１の領域２６，２６中に備えられ、遊技球の通過接触により駆動する連動契機部３５，３５と、該連動契機部３５，３５の駆動を可変入賞装置２８，２８に伝達して該可変入賞装置２８，２８を開放状態とする連動伝達部３８，３８とで構成されている。
本実施例では、図２を正面から見て向かって右側の可変入賞装置２８を連動させる第１の連動機構３４ａと、向かって左側の可変入賞装置２８を連動させる第２の連動機構３４ｂとが備えられている。
【００２７】
連動契機部３５，３５は、図３に示すように、かさ歯車（ベベルギア）３６，３６を前面に備えると共に、外周に所定間隔をあけて平板状の遊技球接触部３７…，３７…を４枚突設して構成しており、該遊技球接触部３７，３７を第１の領域２６，２６内で遊技球の通過領域ｃ，ｃに突出するように配して遊技盤ベース１１の裏面に回動可能に軸支されている。
本実施例では、遊技球が第１の領域２６，２６内に突出している遊技球接触部３７，３７に接触しつつ転動流下し、該第１の領域２６，２６を通過すると、回転方向で後方の遊技球接触部３７，３７が第１の領域２６，２６内にて突出して待機する。
なお、連動契機部３５の構成、例えば遊技球接触部３７の形状や本数は特に限定されるものではなく、遊技球の通過領域ｃ内に突出して遊技球の通過に伴って遊技球流下方向に回転可能な構成であれば本発明の範囲内で設計変更可能である。
【００２８】
連動伝達部３８，３８は、前記連動契機部３５，３５の回転作動に連動して回転作動する回転作動部材３９，４０と、該回転作動部材３９，４０の回転作動に連動して回転作動し、該回転作動により可変入賞装置２８，２８を開放作動させる開放作動部材４１，４１とで構成されている。
【００２９】
回転作動部材３９，４０は、図３に示すように、遊技盤ベース１１の裏側に回転可能に保持されている回転軸３９ａ，４０ａと、該回転軸３９ａ，４０ａの両端に一体的に設けられたかさ歯車（ベベルギア）３９ｂ，３９ｃ・４０ｂ，４０ｃとで構成されており、該かさ歯車３９ｂ，３９ｃ・４０ｂ，４０ｃを前記連動契機部３５，３５のかさ歯車３６，３６に噛み合わせて配設することにより、連動契機部３５，３５の回転作動が伝達されて所定方向に回転作動する。
【００３０】
本実施例では、遊技盤１０を正面から見て水平方向に配設されると共に、前記連動契機部３５のかさ歯車３６にかさ歯車３９ｂが噛み合い連結し、該連動契機部３５の回転作動を受けて回転作動する第１回転作動部材３９と、遊技盤１０を正面から見て垂直方向に配設されると共に、前記第１回転作動部材３９のかさ歯車３９ｃにかさ歯車４０ｂが噛み合い連結し、該第１回転作動部材３９の回転作動に連動して回転作動し、その回転作動を開放作動部材４１に伝達する第２回転作動部材４０とで構成している。また、本実施例では、第１回転作動部材３９と第２回転作動部材４０とは、夫々の回転軸３９ａ，４０ａの長さを異にしている。
【００３１】
開放作動部材４１，４１は、図３に示すように、遊技盤ベース１１の裏側に回転可能に保持されている回転軸４１ａ，４１ａと、該回転軸４１ａ，４１ａの一端に一体的に設けられ、前記第２回転作動部材４０，４０のかさ歯車４０ｃ，４０ｃと噛み合い連結する第１かさ歯車（ベベルギア）４１ｂ，４１ｂと、前記回転軸４１ａ，４１ａの他端に所定間隔をあけて一体的に設けられ、前記可変入賞装置２８，２８の左右の可動片３１，３１・３１，３１に備えた夫々のかさ歯車（ベベルギア）３３，３３に噛み合い連結している第２かさ歯車（ベベルギア）４１ｃ，４１ｃと第３かさ歯車（ベベルギア）４１ｄ，４１ｄとを備えて構成されており、遊技盤１０を正面から見て水平方向に配設されている。
また、前記第２かさ歯車４１ｃ，４１ｃと第３かさ歯車４１ｄ，４１ｄの間には、回転軸４１ａ，４１ａと共に回動作動する回動体４２，４２が、該回転軸４１ａ，４１ａと一体的に備えられている。
【００３２】
回動体４２，４２は、図５に示すように、断面視略Ｔ字形状で、両側になだらかな傾斜面４２ａ，４２ｂ・４２ａ，４２ｂを備えて形成されており、前記開放作動部材４１，４１の回転軸４１ａ，４１ａを中心軸とし、細幅な先端部４２ｃ，４２ｃを上側として傾斜面４２ａ，４２ａと４２ｂ，４２ｂを交互に上面とすべく振り子運動を行うように回動可能に構成されている。
すなわち、図５（ａ）の状態を、可変入賞装置２８が遊技球の入賞し易い開放状態であるとした場合、回動体４２は図５（ａ）にて実線で示すように傾斜面４２ａを上面とした状態で待機し、その後、遊技球が入球すると、遊技球の転動流下により図５（ｂ）にて実線で示すように傾斜面を４２ｂ上面とすべく回動し、この動作が交互に繰り返される。
【００３３】
本実施例では、この開放作動部材４１，４１の回転軸４１ａ，４１ａの任意箇所に、第２回転作動部材４０，４０からの回転作動にのみ連動し、可変入賞装置２８，２８の閉鎖作動（図５（ａ）の状態から（ｂ）の状態へと回動する作動）には連動しないワンウェイクラッチ部４３，４３を備えている。
ワンウェイクラッチ部４３の構造は、一方側からの駆動（第２回転作動部材４０からの回転作動）を他方側（可変入賞装置２８）には伝達するが、他方側からの駆動（可変入賞装置２８の閉鎖作動）は一方側（第２回転作動部材４０）には伝達しない周知の構造が適用可能である。
【００３４】
なお、本実施例では、回転軸３９ａ，４０ａの長さが異なる第１回転作動部材３９と第２回転作動部材４０及び一本の開放作動部材４１で連動伝達部３８を構成しているが、前記回転作動部材３９，４０の配設本数あるいは該回転作動部材３９，４０と前記開放作動部材４１の形態（全体長さ・歯車形状など）などは本実施例に限定解釈されるものではなく、遊技盤ベース１１の裏側に配設されている遊技球通路や配線などを回避し得るように構築することができ、本発明の範囲内で設計変更可能である。
【００３５】
ここで、本実施例の弾球遊技機の作動について説明する。
【００３６】
まず、発射装置のハンドル７のレバー７ａを時計方向に回転させることにより、例えば内蔵する発射ソレノイドを作動させて遊技球を表側の遊技領域Ａに打ち出す。
そして遊技領域Ａに打ち出された遊技球は、遊技釘や天通路１３などの遊技部材に当たりながら転動流下する。
そして、遊技球が、始動入賞装置１７に入球し、該始動入賞装置１７への遊技球の入球を契機に主制御回路にて当選か否かの抽選処理を行い、該抽選処理の結果が当選となると、表示装置８に所定の演出表示を行うと共に、大入賞装置１８のシャッタ２０を開いて大入賞口１９を遊技球の受け入れ易い開放状態とする。
【００３７】
大入賞口１９に入球した遊技球は、シーソ２１により左右方向に振り分けられ、図３で向かって左側のＶカウントセンサ２４を備えた特定領域Ｖゾーンである第１の経路２２に転動流下すると、前記Ｖカウントセンサ２４により遊技球の通過を検知し、該検知された信号が主制御回路に送られて当該カウントを記憶更新する。なお、前記特定領域とは異なる一般領域ゾーンである第２の経路２３を遊技球が通過すると、カウントセンサ２５により遊技球の通過を検知し、該検知された信号が主制御回路に送られて当該カウントを記憶更新する。
【００３８】
そして、当該第１の経路２２を遊技球が転動流下し、第１の領域２６に到達し、該第１の領域２６内の遊技球通過領域ｃに突出して配設されている第１の連動機構３４ａの遊技球接触部３７に当接する。
前記遊技球接触部３７に当接した遊技球は、第１の領域２６を転動流下する際に前記遊技球接触部３７を流下方向に押し回し、それに伴って連動契機部３５が所定方向（図３にて矢印Ｒ１で示す方向）に回転作動する。この連動契機部３５の回転作動は、該連動契機部３５のかさ歯車３６に噛み合い連結している一方のかさ歯車３９ｂを介して第１回転作動部材３９に伝達され、該第１回転作動部材３９が所定方向（図３にて矢印Ｒ２で示す方向）に回転作動する。
【００３９】
第１回転作動部材３９は、該第１回転作動部材３９の他方のかさ歯車３９ｃに噛み合い連結している一方のかさ歯車４０ｂを介して第２回転作動部材４０に回転作動を伝達し、該第２回転作動部材４０は所定方向（図３にてＲ３で示す方向）に回転作動する。
前記第２回転作動部材４０の回転作動は、該第２回転作動部材４０の他方のかさ歯車４０ｃに噛み合い連結している第１かさ歯車４１ｂを介して開放作動部材４１に伝達され、該開放作動部材４１は所定方向（図３にてＲ４で示す方向）に回転作動する。
そして、前記開放作動部材４１の回転作動は、該開放作動部材４１の第２かさ歯車４１ｃと第３かさ歯車４１ｄを介して噛み合い連結している図２で向かって右側の可変入賞装置２８の左右の可動片３１，３１に設けた夫々のかさ歯車３３，３３を介して伝達され、該左右の可動片３１，３１を開放作動（図３にてＲ５で示す方向）する。
この開放作動に伴って、回動体４２は、図５（ａ）にて破線で示す状態から実線で示す状態へと回動する。
【００４０】
可変入賞装置２８は、このように左右の可動片３１，３１が開放されることにより遊技球が入賞し易い開放状態となり、該可変入賞装置２８に遊技球が入球すると、遊技球は、回動体４２の傾斜面４２ａに沿って先端部４２ｃから後端部４２ｄ方向へと転動流下して前記回動体４２を流下方向に押し回し、該回動体４２は、図５（ａ）にて実線で示す状態から破線で示す状態（図５（ｂ）にて実線で示す状態）へと回動してその状態のまま待機する。
そして上述のように回動体４２が回動作動すると、同一の回転軸４１ａに備えられている第２かさ歯車４１ｃと第３かさ歯車４１ｄも同一方向に回動作動し、この第２・第３かさ歯車４１ｃ，４１ｄの回転作動は、該夫々のかさ歯車４１ｃ，４１ｄと噛み合い連結している左右のかさ歯車３３，３３を介して可動片３１，３１に伝達されて、該夫々の可動片３１，３１が所定方向に回転作動して遊技球の入球し難い閉鎖状態となる。
従って、上述した作動工程が順次繰り返される。
なお、上記可動片閉鎖作動の時、その回転作動（開放作動時の回転作動とは逆回転）は、かさ歯車３３，３３に噛み合い連結している第２かさ歯車４１ｃと第３かさ歯車４１ｄを介して開放作動部材４１の回転軸４１ａにも及ぶが、本実施例によれば、前記閉鎖作動には連動しないワンウェイクラッチ部４３を備えているため、該ワンウェイクラッチ部４３から先の連動機構部分には閉鎖作動による回転作動は伝達されない。
【００４１】
また、本実施例では、右側の可変入賞装置２８と連動する第１の連動機構３４ａの連動契機部３５が配設されている第１の経路２２中の下流側に、さらに第２の連動機構３４ｂの連動契機部３５が配設されているため、右側の可変入賞装置２８が開放作動した後、左側の可変入賞装置２８が時間差をおいて開放作動する。
この第２の連動機構３４ｂの作動については上述した第１の連動機構３４ａの作動と同一であるためその説明は省略する。なお、本実施例では、第１回転作動部材３９と第２回転作動部材４０の夫々の回転軸３９ａ，４０ａを長尺に形成しているが、遊技盤１０の裏側の遊技球通路などを回避するものであれば、回転作動部材３９，４０をさらに細分割して夫々の回転軸３９ａ，４０ａを短尺としてもよく本発明の範囲内で設計変更可能である。
【００４２】
また、本実施例において、可変入賞装置２８の開放は特に制限していないが、大当たりラウンド１回につき、１開放とするように、第１の領域２６を一個の遊技球が通過した後は、第１の経路（Ｖゾーン）２２を閉鎖して第１の領域２６内に遊技球が入らないように制限を加えることも可能で本発明の範囲内である。
さらに、本実施例では、第１の経路２２中に遊技球の転動流下方向に第１の連動機構３４ａの連動契機部３５と第２の連動機構３４ｂの連動契機部３５を夫々所定距離をおいて配設したが、例えば図示はしないが、遊技球が接触して通過可能な領域を形成して向かい合わせに夫々の連動契機部３５，３５を配設することも可能で本発明の範囲内である。
さらに、遊技盤ベース１１に３個以上の可変入賞装置２８を備えることが可能であれば、夫々に対応した３個以上の連動機構３４を配設することも可能である。
【実施例２】
【００４３】
図６及び図７は、本発明の実施例２を示す図で、本実施例では遊技盤ベース１１に複数個配設した可変入賞装置２８が第１の連動機構３４ａと、第２の連動機構３４ｂを介して連動する先が実施例１とは異なる実施の一例である。その他の構成及び作用効果は実施例１と同様であるため、実施例１の説明を援用しその説明は省略する。なお、実施例１では、表示装置８を有する弾球遊技機について説明したが、本実施例では、表示装置８を有していない弾球遊技機であっても範囲内であり、本発明の特有の構成を適用することが可能である。
【００４４】
上述した実施例１では、大入賞装置１８内に備えた第１の領域２６と複数個の可変入賞装置２８，２８とにわたって連動機構３４を架け渡して構成しているが、本実施例では、遊技盤１０の遊技領域Ａ中に備えた一個の一般入賞装置４５内に複数の経路２２，２３を備え、その複数の経路のうち、可変入賞装置２８，２８を開放状態とする第１の領域２６，２６を有する第１の経路２２と、閉鎖状態のままとする第２の領域２７を有した第２の経路２３とし、前記第１の経路２２中で遊技球の流下方向に所定間隔をあけて第１の領域２６，２６を二箇所設けている。
そして、夫々の第１の領域２６，２６と二つの可変入賞装置２８，２８とにわたって夫々第１の連動機構３４ａ第２の連動機構３４ｂを架け渡した実施の一例である。
本実施例では、可変入賞装置２８，２８を遊技盤１０を正面から見て上下方向に並設しているが、その並び位置には特に限定されるものはない。
なお、第１の連動機構３４ａ・第２の連動機構３４ｂと可変入賞装置２８の構成及び作用効果にあっては実施例１と同様であるためその詳細は省略する。
【実施例３】
【００４５】
図８及び図９は、本発明の実施例３を示す図で、本実施例は実施例２と近似しているが、第１の領域２６を備えた経路を複数経路備え、夫々の経路に第１の領域２６を備えると共に、夫々の第１の領域２６に連動機構３４を備えて遊技盤１０を左右に縦方向で分割した左右領域に備えられている左右の可変入賞装置２８，２８を連動開放作動せしめる実施の一例とした点で実施例２と異なっている。その他の構成及び作用効果は実施例１，２と同様であるため、実施例１，２の説明を援用しその説明は省略する。
【００４６】
本実施例のように構成することにより、可変入賞装置２８と連動する一般入賞装置４５に遊技球が入賞すれば、遊技球は分岐部で左右の第１の経路２２，２２か中央の第２の経路２３へと振り分けられて転動流下し、いずれかの第１の経路２２へと遊技球が転動流下すればいずれかの可変入賞装置２８が開放状態となり、また、連続して入賞した遊技球が左右の第１の経路２２，２２へと夫々振り分けられれば、夫々の連動契機部３５，３５の位置を図９に示すように転動体流下方向で上下にずらせてあるため、左右の可変入賞装置２８，２８が僅かな時間差をあけて開放作動する。
また、一方の第１の領域２６には一個の連動契機部３５を備えて一方の可変入賞装置２８の開放作動を連動させ、他方の第１の領域２６には複数個の連動契機部３５，３５…を所定距離をおいて備えて他方の可変入賞装置２８…の開放作動を時間差をおいて連動させることも可能である。
【００４７】
また、本実施例によれば、遊技盤１０を正面から見て左右方向に二分した左側の領域に一般入賞装置４５を備え、該左側の領域と右側の領域に、前記一般入賞装置４５と連動する可変入賞装置２８，２８を夫々配設するものとしたが、表示装置８が臨む部分以外を非透明性部材で構成した遊技盤ベース１１を使用した場合、一般入賞装置４５から入賞した遊技球の転動が視認できないため、入賞した遊技球がいずれかの経路に転動流下するかわからず、右側の可変入賞装置２８が開放作動するか、左側の可変入賞装置２８が開放作動するか、あるいは第２の領域２７へと転動していずれも閉鎖状態のままとなるか見当がつかないので、一般入賞装置４５に入賞した遊技球の行方に遊技者の意識を向けさせることができ、遊技の興趣が向上する。
なお、第１の連動機構３４ａ・第２の連動機構３４ｂと可変入賞装置２８の構成及び作用効果にあっては実施例１と同様であるためその詳細は省略する。
【実施例４】
【００４８】
図１０は、本発明の実施例４を示す図で、上述した実施例１乃至３の連動機構３４の変形例で、本実施例は、連動契機部３５と可変入賞装置２８とにわたって架け渡される連動伝達部３８として紐状部材を使用している点に特徴有する実施の一例である。その他の構成及び作用効果は実施例１乃至３と同様であるため、実施例１乃至３の説明を援用しその説明は省略する。
紐状部材からなる連動伝達部３８は、非伸縮性の材質からなる例えばワイヤ、ピアノ線などが好ましいが特に限定はされない。
【００４９】
本実施例では、連動契機部３５として平板形状の部材を使用しており、一端側（遊技球接触部）３５ａを第１の領域２６内の遊技球通過領域ｃに略水平状に臨ませると共に、他端側３５ｂ近傍を遊技盤１０の裏側にて軸支して遊技盤１０に対して垂直方向に回動可能に備え、前記他端側３５ｂにはバネ部材などの弾性部材３５ｃを備えて常に下方へと軽い引張り力を与えるようにしている。
前記弾性部材３５ｃによる引張り力は、遊技球の通過を妨げず、かつ遊技球の通過により押し下げられた連動契機部３５を復帰できる程度であればよく、可能な限り弱い引張り力が好ましい。また、連動契機部３５を上方へと引き上げるバネ部材などであってもよい。
【００５０】
そして、この連動契機部３５の所定箇所に、前記紐状の連動伝達部３８の一端側３８ａを固定すると共に、他端側３８ｂを可変入賞装置２８の可動片３１の所定箇所に固定し、かつ所定位置で紐状の連動伝達部３８を緊張状態に保持するプーリ４４を遊技盤１０の裏側に回動可能に取り付けている。
なお、本実施例において第１の連動機構３４ａと第２の連動機構３４ｂの構成は略同一であるが、第１の連動機構３４ａの連動契機部３５を第２の連動機構３４ｂの連動契機部３５よりも長尺としている。
【００５１】
従って、本実施例によれば、第１の領域２６に転動流下した遊技球が、まず、第１の連動機構３４ａの連動契機部３５の一端側（遊技球接触部）３５ａに当接し、該連動契機部３５を押し下げつつ流下する。
このように連動契機部３５が軸支部分を支点として下方に押し下げられると、該連動契機部３５に一端側３８ａが固定された紐状の連動伝達部３８が引き下げられ、この引き下げ作動によって可変入賞装置２８の可動片３１，３１が開放作動する。
【００５２】
また、図１０にて符号３８ｃで示す点は、開放状態での連動伝達部３８の他方の固定箇所で、可動片３１の開放状態の時、連動伝達部３８はわずかに緊張状態が解かれた状態で待機している。そして、開放状態の可変入賞装置２８に遊技球が入賞して可動体４２を回動作動させることにより、該可動体４２と一体的に設けられているかさ歯車４１ｃ，４１ｄの回動作動が可動片３１，３１に一体的に設けられているかさ歯車３３，３３に伝達されて可動片３１，３１を閉鎖方向へと回動作動させる。このように可動片３１，３１が閉鎖状態へと回動作動すれば、連動伝達部３８の固定箇所３８ｃが、図中符号Ｘで示す点に移動するため、連動伝達部３８は再び緊張状態となる。なお、可変入賞装置２８の構造は実施例１乃至３で説明したものと略同様である。
【図面の簡単な説明】
【００５３】
【図１】本発明遊技機の一実施例で、フロント扉を開けて遊技盤を手前側に取り出した状態を示す概略斜視図。
【図２】実施例１の遊技盤を示す概略正面図。
【図３】実施例１の可変入賞装置と大入賞装置との連動構造を示す概略図。
【図４】可変入賞装置の要部を示し、（ａ）は概略正面図、（ｂ）は概略側面図。
【図５】可変入賞装置の要部を示し、（ａ）は開放状態の時の回動体の状態を実線で示した概略図、（ｂ）は閉鎖状態の時の回動体の状態を実線で示した概略図。
【図６】実施例２の遊技盤を示す概略正面図。
【図７】実施例２の可変入賞装置と一般入賞装置との連動構造を示す概略図。
【図８】実施例３の遊技盤を示す概略正面図。
【図９】実施例３の可変入賞装置と一般入賞装置との連動構造を示す概略図。
【図１０】実施例４の可変入賞装置と入賞装置との連動構造を示す概略図。
【符号の説明】
【００５４】
１１  遊技盤ベース
１８  大入賞装置
２２  第１の経路
２３  第２の経路
２６  第１の領域
２７  第２の領域
２８  可変入賞装置
３１  可動片
３４  連動機構
３５  連動契機部
３８  連動伝達部
【図１】
2006109951.tif 000003
【図２】
2006109951.tif 000004
【図３】
2006109951.tif 000005
【図４】
2006109951.tif 000006
【図５】
2006109951.tif 000007
【図６】
2006109951.tif 000008
【図７】
2006109951.tif 000009
【図８】
2006109951.tif 000010
【図９】
2006109951.tif 000011
【図１０】
2006109951.tif 000012